(57)【要約】【課題】  霧を効率よく排出することができる照明器具を提供する。【解決手段】  吸気口１２ｄ，１２ｅと排気口１７ａとが開口し施工面に取り付けられる器具本体と、遠心ファン２１を有し吸気口１２ｄ，１２ｅから流入し排気口１７ａから流出する気流を器具本体の内部に発生させる送風部と、帯電した霧を器具本体の内部において前記気流の流路上に発生させる霧生成部３と、白熱灯４１を有する照明部４とを備える照明器具において、排気口１７ａを、霧生成部３による霧が発生する位置に近接して設けた。霧生成部３で発生した霧が即座に排気口１７ａから流出することになるから、霧生成部３で発生した霧を効率よく排気口１７ａから放出することができる。【選択図】図１
2006100218.tif 000002
【特許請求の範囲】
【請求項１】
吸気口と吸気口に連通した排気口とが互いに同じ面に開口し吸気口及び排気口がそれぞれ開口した面とは異なる面を施工面に向けて施工面に取り付けられる器具本体と、吸気口から流入し排気口から流出する気流を器具本体の内部において発生させる送風部と、帯電した霧を器具本体の内部において前記気流の流路上に発生させる霧生成部と、光源を有し吸気口と排気口との少なくとも一方に近接配置された照明部とを備え、吸気口と排気口と照明部とを施工面に沿った方向に直線状に並べて配置した照明器具において、排気口を、霧生成部による霧が発生する位置に近接して設けたことを特徴とする照明器具。
【請求項２】
霧生成部を操作するための操作部を吸気口と排気口との間に設け、霧生成部の電源を生成する電源部を備え、器具本体の内部において送風部による気流の流路上に電源部を配置したことを特徴とする請求項１記載の照明器具。
【請求項３】
排気口の開口面に沿った方向への気流の勢いを減殺する壁を器具本体の内部において排気口と送風部との間であって排気口の近傍に設けたことを特徴とする請求項１又は請求項２記載の照明器具。
【請求項４】
送風部による気流の流路となる空間を、霧生成部を挟んで排気口の反対側に設けたことを特徴とする請求項１乃至３のいずれか記載の照明器具。
【請求項５】
送風部は遠心ファンを有し、それぞれ吸気口に連通した開口を遠心ファンの軸方向の両側に設けたことを特徴とする請求項１乃至４のいずれか記載の照明器具。
【発明の詳細な説明】
【技術分野】
【０００１】
本発明は、壁面等の施工面に取り付けられる照明器具に関するものである。
【背景技術】
【０００２】
従来から、ファンを用いて気流を発生させる送風部と、脱臭作用や除菌作用を有する液体が溜められる液溜め部を有し液溜め部の液体から発生させた霧を前記気流の流路上に生成する霧生成部とを備え、霧生成部が生成した霧を送風部の気流によって室内に拡散させることにより室内の壁面等の脱臭又は除菌が可能な空気清浄機が提供されている（例えば、特許文献１参照）。この種の空気清浄機は、主に床面上に設置されていた。
【０００３】
しかし、従来の空気清浄機は、床面上に設置のための面積を確保する必要があった。また、床面上に設置されるために、人がつまづいて空気清浄機が転倒し液溜め部の液体がこぼれることがあった。
【０００４】
ところで、空気清浄機を一体化した照明器具が提案されている（例えば、特許文献２参照）。先に述べた空気清浄機について照明器具に一体化すれば、照明器具は概して高いところに取り付けられることが多いから、人がつまづきにくく、したがって空気清浄機が転倒しにくくなる。
【特許文献１】特開２００３−７９７１４号公報
【特許文献２】特開２００４−１０３２７９号公報
【発明の開示】
【発明が解決しようとする課題】
【０００５】
ここで、空気清浄機において、霧生成部による霧が発生する位置から離れた位置に排気口が設けられていると、器具本体の内面に霧が付着し、霧の排出の効率が低下する。
【０００６】
そして、霧生成部による霧が発生する位置から離れた位置に排気口が設けられた空気清浄機を、照明器具に一体化しても、やはり霧の排出の効率が低いという問題点を有することになる。
【０００７】
本発明は上記事由に鑑みて為されたものであり、その目的は、霧を効率よく排出することができる照明器具を提供することにある。
【課題を解決するための手段】
【０００８】
請求項１の発明は、吸気口と吸気口に連通した排気口とが互いに同じ面に開口し吸気口及び排気口がそれぞれ開口した面とは異なる面を施工面に向けて施工面に取り付けられる器具本体と、吸気口から流入し排気口から流出する気流を器具本体の内部において発生させる送風部と、帯電した霧を器具本体の内部において前記気流の流路上に発生させる霧生成部と、光源を有し吸気口と排気口との少なくとも一方に近接配置された照明部とを備え、吸気口と排気口と照明部とを施工面に沿った方向に直線状に並べて配置した照明器具において、排気口を、霧生成部による霧が発生する位置に近接して設けたことを特徴とする。
【０００９】
この発明によれば、霧生成部で発生した霧が即座に排気口から流出することになるから、霧生成部で発生した霧を効率よく排気口から放出することができる。
【００１０】
請求項２の発明は、請求項１の発明において、霧生成部を操作するための操作部を、吸気口と排気口との間に設け、霧生成部の電源を生成する電源部を備え、器具本体の内部において送風部による気流の流路上に電源部を配置したことを特徴とする。
【００１１】
この発明によれば、吸気口と排気口とを離すことにより、排気口から流出した霧の吸気口への吸入が抑えられるだけでなく、吸気口と排気口との間に操作部を配置することにより、表面積を有効に利用することができる。また、器具本体の内部において送風部による気流の流路となるスペースを有効に利用することになるから、小型化が可能となる。
【００１２】
請求項３の発明は、請求項１又は請求項２の発明において、排気口の開口面に沿った方向への気流の勢いを減殺する壁を器具本体の内部において排気口と送風部との間であって排気口の近傍に設けたことを特徴とする。
【００１３】
この発明によれば、排気口の開口面に沿った方向への気流の勢いが減殺される分だけ、排気口の開口面に直交する方向への気流の勢いが増強される。したがって、送風部を大型化させずに、排気口の開口面に直交する方向への気流の勢いを強めて霧を室内に効果的に拡散させることや、排気口の開口面に直交する方向への気流の勢いを維持しながらも、送風部を小型化することができる。
【００１４】
請求項４の発明は、請求項１乃至請求項３のいずれかの発明において、送風部による気流の流路となる空間を、霧生成部を挟んで排気口の反対側に設けたことを特徴とする。
【００１５】
この発明によれば、送風部による気流が霧生成部を通りやすくなるから、霧生成部で発生した霧を効率よく排気口から放出することができる。
【００１６】
請求項５の発明は、請求項１乃至請求項４のいずれかの発明において、送風部は遠心ファンを有し、それぞれ吸気口に連通した開口を遠心ファンの軸方向の両側に設けたことを特徴とする。
【００１７】
この発明によれば、吸気口に連通した開口を遠心ファンの軸方向の一方のみに設ける場合に比べ、送風の効率が向上するから、遠心ファンの大きさを一定とすれば霧の拡散範囲の拡大が可能となり、霧の拡散範囲を一定とすれば遠心ファンを小さくして小型化が可能となる。
【発明の効果】
【００１８】
本発明は、排気口を、霧生成部による霧が発生する位置に近接して設けたことにより、霧生成部で発生した霧を効率よく排気口から放出することができる。
【発明を実施するための最良の形態】
【００１９】
以下、本発明を実施するための最良の形態について、図面を参照しながら説明する。
【００２０】
本実施形態は、図２に示すように直方体形状に形成され壁面のような施工面Ｗに取り付けられる器具本体１と、図１及び図３に示すように器具本体１に収納された遠心ファン２１と遠心ファン２１を回転させて器具本体１の内部に気流を発生させるモータ２２とを備える送風部と、器具本体１の内部に収納され帯電した霧を前記気流の流路上に発生させる霧生成部３と、光源としての白熱灯４１を有する照明部４とを備える。霧生成部３は例えば界面活性剤のような脱臭作用を有する液体や例えば殺菌剤のような除菌作用を有する液体から霧を発生させるものであって、この霧を送風部の気流によって室内に拡散させることにより、室内の壁面等に付着した臭いや雑菌を除去することができる。以下、上下左右は図１を基準とし、図１の右下―左上方向を前後方向と呼ぶ。
【００２１】
器具本体１は、器具本体１の上下左右の側面及び後面を構成する外本体１１と、外本体に結合し器具本体１の前面を構成する内本体１２とを有する。
【００２２】
外本体１１は、角筒形状の枠部１１ａと、枠部１１ａの内部を前後に仕切る後板１１ｂとを有する。霧生成部３を収納する空間を確保するため、後板１１ｂの右端部には後方へ半円筒形状に窪んだ凹部１１ｃを設けてある。また、後板１１ｂの左端部には、上下に並んだ複数の貫通穴からなる第１の通気穴１１ｄと、第１の通気穴１１ｄの右側に設けられ同心円状に並んだ複数の貫通穴からなる第２の通気穴１１ｅとを設けてある。
【００２３】
内本体１２は、外本体１１の枠部１１ａに収納される角筒形状の枠部１２ａと、枠部１２ａの前端に設けられ器具本体１の前面を構成する前板１２ｂとを有し、後面が開放された直方体形状に形成されている。前板１２ｂの右端部には、霧生成部３を液体の補給や整備の際に器具本体１から出し入れするための収納穴１２ｃが前後に貫設されている。また、前板１２ｂの左端部には、同心円状に並んだ複数の貫通穴からなる第１の吸気口１２ｄと、第１の吸気口１２ｄの左側に設けられ上下に並んだ複数の貫通穴からなる第２の吸気口１２ｅとを設けてある。
【００２４】
また、内本体１２には、器具本体１に流入する気体を濾過するフィルタ１４が取り付けられている。詳しく説明すると、器具本体１の前側には、吸気口１２ｄ，１２ｅを覆う吸気カバー１５が取り付けられており、フィルタ１４は、吸気カバー１５に前後に貫設された貫通穴１５ａを後側から覆う。また、吸気カバー１５の貫通穴１５ａの前側には、フィルタ１４への汚れの付着を抑えるとともに見栄えを向上するための前面パネル１６が取り付けられる。前面パネル１６は矩形板状に形成された本体部１６ｂと、本体部１６ｂの四隅付近からそれぞれ後方に突出する脚部１６ａとを有し、脚部１６ａが吸気カバー１５にねじ止めされることによって本体部１６ｂと吸気カバー１５との間に隙間を空けて貫通穴１５ａを覆う形で吸気カバー１５に固定されている。
【００２５】
外本体１１の第２の通気穴１１ｅと内本体１２の第１の吸気口１２ｄとは前後に対向する位置に設けられており、遠心ファン２１は軸方向を前後方向へ向けて第２の通気穴１１ｅと第１の吸気口１２ｄとの間に配置されている。後板１１ｂを挟んで遠心ファン２１の反対側には、遠心ファン２１を駆動するモータ２２と、モータ２２の電源を生成するモータ電源２３と、商用電源に接続された電源線が接続されモータ電源２３に電気的に接続された端子台２４とがそれぞれねじ止め固定されている。
【００２６】
また、外本体１１の後側には、前面が開放された直方体形状であってモータ２２とモータ電源２３とを覆うモータカバー１３が取り付けられている。モータカバー１３は第２の通気穴１１ｅの後側を覆っており、モータカバー１３の左右の側面には、それぞれ左右に貫設され格子状に配列された複数の貫通穴からなる、モータ２２及びモータ電源２３の放熱用の通気穴１３ａが設けられている。ここにおいて、図４に示すように、第２の吸気口１１ｅから第１の通気穴１１ｄとモータカバー１３の通気穴１３ａとを経てモータカバー１３内を経由し、遠心ファン２１の後側の第２の通気穴１１ｅに至る、気体の流路が形成されている。なお、図４において、矢印は気流の向きを示し、モータカバー１３において気流が通過する通気穴１３ａが設けられた部位を分かりやすくするために着色している。すなわち、遠心ファン２１の軸方向の両側から気体が供給されるので、送風の効率が向上している。さらに、上記の気流により、モータ２２及びモータ電源２３の冷却も可能となる。
【００２７】
また、前方から見て遠心ファン２１を囲む円筒形状であって遠心ファン２１の右上方向が開放された形状の誘導板１２ｆが、内本体１２の前板１２ｂの後方へ突設されている。遠心ファン２１によって発生した気流は、誘導板１２ｆに当たることにより、器具本体１の内部を右向きに流れる。さらに、誘導板１２ｆは、第２の吸気穴１２ｅと第１の通気穴１１ｄとの間の空間と遠心ファン２１が収納された空間とを仕切っている。
【００２８】
霧生成部３は、全体として円柱形状であって、脱臭作用又は除菌作用を有する液体が内部に溜められており、器具本体１の内部において遠心ファン２１による気流の流路上に配置された電源部３１により電源を供給されて前記液体から帯電した霧を発生させ、発生させた霧を上方に放出する。帯電した霧を発生させる方法としては、例えば高電圧をかけることで液体を霧化させる静電霧化方式を採用することができる。電源部３１を器具本体１の内部に収納していることにより、器具本体１の内部の気流の流路としてのスペースが有効に利用されるから、電源部３１を収納するための空間を別途設ける場合に比べて小型化が可能となっている。なお、霧生成部３は周知の技術で実現可能であるので、詳細な構成についての図示並びに説明は省略する。また、帯電した霧を発生させる方法は上記の静電霧化方式に限られず、例えば超音波振動によって発生させた霧を放電にさらすことによって帯電させてもよい。
【００２９】
霧生成部３は、軸方向が上下方向であって前面と上面とが開放された半円柱形状の受け具３２によって器具本体１の内部に保持されている。具体的に説明すると、霧発生部３の上端部には第１の突起３ａが径方向に突設され、下面に第２の突起３ｂが下方へ突設されている。受け具３２は、上端部から径方向に外側へ突設された鍔部３２ａと、鍔部３２ａの上面に設けられて第１の突起が嵌合する第１の凹部３２ｃと、内底面に設けられて第２の突起３ｂが嵌合する第２の凹部３２ｂとを有する。第１の突起３ａが第１の凹部３２ｃに嵌合し、第２の突起３ｂが第２の凹部３２ｄに嵌合することにより、霧発生部３は受け部３２に着脱自在に保持されている。また、鍔部３２ａが凹部１１ｃの底面（後板１１の前面）に当接することにより器具本体１に対する受け具３２の姿勢が安定するようになっている。
【００３０】
霧生成部３の前側に開口する収納穴１２ｃは、矩形板状の排気カバー１７によって覆われる。排気カバー１７において、霧生成部３の上端部すなわち霧が発生する位置の前側に位置する部位には、それぞれ左右に長いスリット形状であって上下に並んだ複数の貫通穴からなる排気口１７ａを設けてある。排気カバー１７は、霧生成部３に液体を補給するときや整備時に取り外すことができるように、例えば凹凸係合によって内本体１２の前板１２ｂに対し着脱自在に取り付けられている。
【００３１】
さらに、内カバー１２の前板１２ｂにおいて、収納穴１２ｃの左上付近には厚さ方向を左右方向へ向けた壁１２ｇを後方へ突設してある。この壁１２ｇにより、排気口１７ａから流出する気流の右方への勢いが減殺される一方で前方への勢いが増強されるから、室内へ霧を拡散させやすくなり、また、図６に破線矢印で示すように霧生成部３の前側を通って直接排気口１７ａへ向かう気流が阻止されることになるから、霧を効率よく気流に含ませることができる。
【００３２】
また、鍔部３２ａによって外本体１１の後板１１ｂと受け具３２との間には隙間が生じている。さらに、鍔部３２ａには、複数の通気穴３２ｂを、周方向に並べて上下に貫設している。そして、図５に矢印で示すように、遠心ファン２１によって発生し受け具３２に当たった気流は、受け具３２と外本体１１との間に流れ込み、鍔部３２ａの通気穴３２ｂを通じて、霧生成部３による霧が発生する位置の後側に流出する。すなわち、霧生成部３を挟んで排気口１７ａの反対側に気流が誘導される。したがって、霧生成部３の後側に気流を誘導しない場合に比べ、気流が霧生成部３の上側を通りやすくなるから、排気口１７ａから流出する気流により多くの霧を含ませることができる。また、霧生成部３上に気流を右向きに通過させる場合に比べ、排気口１７ａの位置で気流の前方への勢いが強められ、室内へ霧を拡散させやすくなる。なお、図３及び図５では、壁１２ｇの範囲を分かりやすくするために黒く着色してある。
【００３３】
上記の壁１２ｇと受け具３２とにより、遠心ファン２１を大型化することなく、排気口１７ａから放出される気流の前方への勢いを強めて霧を室内に効率よく拡散することや、排気口１７ａから放出される気流の前方への勢いを維持しながらも、遠心ファン２１を小型化することができる。
【００３４】
また、霧生成部３のオンオフやタイマー動作の設定を行うための例えば押釦ハンドルのような操作部（図示せず）を有する操作ブロック５が、器具本体１の前面において排気口１７ａと第１の吸気口１２ｄとの間に取り付けられている。操作ブロック５は、例えば、操作部を有する押釦スイッチやロータリースイッチと、押釦スイッチやロータリースイッチの出力に基いて霧生成部３を制御するための制御信号を生成し霧生成部３へ入力する電子回路とが、プリント配線板に実装されてなる。また、器具本体１の前面には、操作ブロック５を覆う操作カバー１８が取り付けられる。操作カバー１８は、例えば後面が開放された直方体形状に形成され、操作ブロック５の操作部を露出させる貫通穴１８ａが前後に貫設されている。本実施形態においては、吸気口１２ｄ，１２ｅと排気口１７ａとを離すことにより、図２に破線矢印で示すような、排気口１７ａから排出された気流の吸気口１２ｄ，１２ｅへの直接の流入を抑制するとともに、吸気口１２ｄ，１２ｅと排気口１７ａとの間に操作部を配置して器具本体１の前面の面積を有効に利用している。
【００３５】
また、吸気カバー１５の前面と、排気カバー１７の前面と、操作カバー１８の前面とが面一となるように、吸気カバー１５と排気カバー１７と操作カバー１８との前後方向の寸法はそれぞれ設定され、これによって器具本体１の前面の凹凸を減少させて見栄えを向上している。
【００３６】
照明部４は、白熱灯４１と、白熱灯４１が取り付けられるソケット４２と、白熱灯４１及びソケット４２を収納した照明カバー４３とからなる。照明カバー４３において、白熱灯４１の前側は透光性を有する部材で構成されている。なお、光源としては、白熱灯４１に代えて放電灯を用いてもよい。
【００３７】
上記のように構成された器具本体１と照明部４とは、図６に示すように施工面Ｗにねじ止め固定される取付板Ｂに固定されることにより、施工面Ｗに取り付けられる。器具本体１及び照明部４への取付板Ｂの取り付けは、例えば取付板Ｂから前方に突出するねじＳａ，Ｓｂを後板１１ｂ又は照明カバー４３に貫通させてナットＮａ，Ｎｂに螺合させることにより行う。ここにおいて、器具本体１と照明部４とは取付板Ｂを介して連結され、照明部４は排気口１７ａに近接する。照明カバー４３の上下方向の寸法及び前後方向の寸法は器具本体１に揃えてあり、照明部４と器具本体１とが連結された状態では器具本体１と照明部４とが全体としてシンプルな直方体形状となる。なお、本実施形態においては吸気口１２ｄ，１２ｅ、排気口１７ａ並びに操作部が全て装置本体１の前面に設けられているので、図２に実線矢印で示すように、施工面Ｗに設けた埋込穴Ｗ１への埋込配設も可能となっている。
【００３８】
上記構成によれば、排気口１７ａを、霧生成部３の上端部すなわち霧が発生する部位の前側にのみ設けているので、霧を効率よく排気口１７ａから放出することができる。また、器具本体１は施工面Ｗに取り付けられるから、床面上に設置面積を確保する必要がない。さらに、照明器具は概して高い場所に配設されることが多いので人がつまづきにくいことと、器具本体１が施工面に取り付けられることとにより、器具本体１が転倒しにくい。また、排気口１７ａと照明部４とを近接させているので、排気口１７ａ付近に発生する気流によって照明部４が冷却されることにより、白熱灯４１の寿命が延長される効果が期待できる。さらに、照明部４と吸気口１２ｄ，１２ｅと排気口１７ａとを直線状に並べているので、全体が無駄のない直方体形状となり、見栄えや施工性がよい。
【図面の簡単な説明】
【００３９】
【図１】本発明の実施形態を示す分解斜視図である。
【図２】同上を示す斜視図である。
【図３】同上の内部構造を示す斜視図である。
【図４】同上の要部を示す断面図である。
【図５】同上の内部における気流を示す説明図である。
【図６】同上を示す断面図である。
【符号の説明】
【００４０】
１  器具本体
３  霧生成部
４  照明部
５  操作ブロック
２１  遠心ファン
１１ｅ  第２の通気穴
１２ｄ  第１の吸気口
１２ｅ  第２の吸気口
４１  白熱灯
【図１】
2006100218.tif 000003
【図２】
2006100218.tif 000004
【図３】
2006100218.tif 000005
【図４】
2006100218.tif 000006
【図５】
2006100218.tif 000007
【図６】
2006100218.tif 000008